(57)【要約】【課題】挿通孔に接着剤を注入する作業性を向上させることが可能な技術を提供する。【解決手段】対物レンズ６５が取り付けられ固定部８０から延びた複数本のワイヤー７０により支持されるレンズホルダ１は、  ワイヤー７０に沿った外壁部５と、ワイヤー７０を該ワイヤー７０の長手方向Ｄ１へ貫通させる挿通孔２０と、該挿通孔２０から外壁部５に沿った方向であって長手方向Ｄ１とは異なる方向（ワイヤーの並列方向Ｄ２）にある位置において針状部材（ニードル２００）から吐出された接着剤２１０が挿通孔２０へ入るようにされた当て部３０と、を有し、外壁部５から外方Ｄ４へ出た外方延出部１０と、外壁部５に沿って当て部３０に対向する空間ＳＰ１と、ワイヤー７０と、の間で外壁部５から外方Ｄ４へ出たガイド部４０と、を備える。【選択図】図６
2016015187.tif 000002
【特許請求の範囲】
【請求項１】
対物レンズが取り付けられ、固定部から延びた複数本のワイヤーにより支持されるレンズホルダであって、
前記ワイヤーに沿った外壁部と、
前記ワイヤーを該ワイヤーの長手方向へ貫通させる挿通孔と、該挿通孔から前記外壁部に沿った方向であって前記長手方向とは異なる方向にある位置において針状部材から吐出された接着剤が前記挿通孔へ入るようにされた当て部と、を有し、前記外壁部から外方へ出た外方延出部と、
前記外壁部に沿って前記当て部に対向する空間と、前記ワイヤーと、の間で前記外壁部から外方へ出たガイド部と、を備えた、レンズホルダ。
【請求項２】
前記複数本のワイヤーには、第一及び第二のワイヤーが含まれ、
前記挿通孔には、前記第一のワイヤーを該第一のワイヤーの長手方向へ貫通させる第一の挿通孔と、前記第二のワイヤーを該第二のワイヤーの長手方向へ貫通させる第二の挿通孔と、が含まれ、
前記外方延出部は、前記第一の挿通孔と前記第二の挿通孔との間に前記当て部を有し、
前記ガイド部には、
前記外壁部に沿って前記当て部に対向する空間と、前記第一のワイヤーと、の間で前記外壁部から外方へ出た第一のガイド部と、
前記外壁部に沿って前記当て部に対向する空間と、前記第二のワイヤーと、の間で前記外壁部から外方へ出た第二のガイド部と、
が含まれる、請求項１に記載のレンズホルダ。
【請求項３】
前記当て部に対向する側において前記外方延出部から離隔し前記外壁部から外方へ出た第二外方延出部を備え、
前記ガイド部は、前記第二外方延出部から前記外方延出部の方へ突出している、請求項１又は請求項２に記載のレンズホルダ。
【請求項４】
前記第二外方延出部には、前記当て部に対向する部分が前記外壁部の方へ凹んだ凹部が形成されている、請求項３に記載のレンズホルダ。
【請求項５】
前記当て部は、前記外方延出部において前記当て部に対向する空間の方へ出た凸形状に形成されている、請求項１〜請求項４のいずれか一項に記載のレンズホルダ。
【請求項６】
前記当て部は、前記凸形状において最も出た当て面と、該当て面から前記挿通孔の方へ向かう傾斜面と、を有する、請求項５に記載のレンズホルダ。
【請求項７】
前記凸形状は、前記外壁部に対向する方向から見たときに前記外方延出部において前記当て部に対向する空間の方へ出た略半楕円形状に形成されている、請求項５に記載のレンズホルダ。
【請求項８】
固定部から延びた複数本のワイヤーにより対物レンズのレンズホルダが支持された光ピックアップであって、
前記レンズホルダは、
前記ワイヤーに沿った外壁部と、
前記ワイヤーを該ワイヤーの長手方向へ貫通させる挿通孔と、該挿通孔から前記外壁部に沿った方向であって前記長手方向とは異なる方向にある位置において針状部材から吐出された接着剤が前記挿通孔へ入るようにされた当て部と、を有し、前記外壁部から外方へ出た外方延出部と、
前記外壁部に沿って前記当て部に対向する空間と、前記ワイヤーと、の間で前記外壁部から外方へ出たガイド部と、を備えた、光ピックアップ。
【請求項９】
固定部から延びた複数本のワイヤーにより対物レンズのレンズホルダが支持された光ピックアップを備えた光ディスク装置であって、
前記レンズホルダは、
前記ワイヤーに沿った外壁部と、
前記ワイヤーを該ワイヤーの長手方向へ貫通させる挿通孔と、該挿通孔から前記外壁部に沿った方向であって前記長手方向とは異なる方向にある位置において針状部材から吐出された接着剤が前記挿通孔へ入るようにされた当て部と、を有し、前記外壁部から外方へ出た外方延出部と、
前記外壁部に沿って前記当て部に対向する空間と、前記ワイヤーと、の間で前記外壁部から外方へ出たガイド部と、を備えた、光ディスク装置。
【発明の詳細な説明】
【技術分野】
【０００１】
本発明は、レンズホルダ、光ピックアップ、及び、光ディスク装置に関する。
【背景技術】
【０００２】
例えば、ＤＶＤ（Digital Versatile Disc）記録再生装置、ＢＤ（ブルーレイディスク）記録再生装置、といった光ディスク装置は、対物レンズが取り付けられたレンズホルダを有する光ピックアップを備えている。レンズホルダは、光ピックアップの固定部から延びた複数本のワイヤーによりフォーカス方向及びトラッキング方向へ移動可能に支持されている。レンズホルダにおいてワイヤーの長手方向に沿った外壁部からは、各ワイヤーを該ワイヤーの長手方向へ貫通させる各ワイヤー孔を有する外方延出部が外方へ延出している。製造工場の作業者は、ワイヤー孔にワイヤーを挿入した後、ワイヤー孔に向けて接着塗布ニードルの先端を接近させて該ニードル先端から接着剤を吐出してワイヤー孔に注入する作業を行っている。
【０００３】
特許文献１に示される対物レンズ駆動装置は、レンズホルダ、複数のワイヤー、一対の保持部、及び、電磁駆動手段を具備している。複数のワイヤーは、レンズホルダと対向配置された固定側部材に対してレンズホルダをフォーカス方向及びトラッキング方向へ移動可能に支持している。各保持部は、ワイヤーの一端側を囲むように充填されるダンパー材を保持する凹部を有している。各保持部は、前記凹部を構成する側壁部、及び、前記凹部を複数の開口空間に仕切る仕切り壁を具備している。前記複数の開口空間の各々には、ワイヤーが配置されている。仕切り壁の開口側端面は、前記開口空間側に傾斜した斜面部を有している。各保持部の凹部には、ダンパー材を充填する作業が行われる。
【先行技術文献】
【特許文献】
【０００４】
【特許文献１】特開２００６−２２１７０９号公報
【発明の概要】
【発明が解決しようとする課題】
【０００５】
しかし、各保持部の凹部にダンパー材を充填する作業の際にダンパー材を吐出するニードルがワイヤーに接触すると、ワイヤーが曲がるといった不具合が発生する。ニードルがワイヤーに接触しないように注意しながら行う充填作業は作業性が良くない。尚、このような問題は、ワイヤーを貫通させる挿通孔に接着剤が注入される種々のレンズホルダ、光ピックアップ、及び、光ディスク装置について同様に存在する。
【０００６】
本発明は、ワイヤーの挿通孔に接着剤を注入する作業性を向上させることが可能な技術を提供する目的を有している。
【課題を解決するための手段】
【０００７】
本発明は、対物レンズが取り付けられ、固定部から延びた複数本のワイヤーにより支持されるレンズホルダであって、
前記ワイヤーに沿った外壁部と、
前記ワイヤーを該ワイヤーの長手方向へ貫通させる挿通孔と、該挿通孔から前記外壁部に沿った方向であって前記長手方向とは異なる方向にある位置において針状部材から吐出された接着剤が前記挿通孔へ入るようにされた当て部と、を有し、前記外壁部から外方へ出た外方延出部と、
前記外壁部に沿って前記当て部に対向する空間と、前記ワイヤーと、の間で前記外壁部から外方へ出たガイド部と、を備えた、態様を有する。
【０００８】
また、本発明は、固定部から延びた複数本のワイヤーにより対物レンズのレンズホルダが支持された光ピックアップであって、
前記レンズホルダは、
前記ワイヤーに沿った外壁部と、
前記ワイヤーを該ワイヤーの長手方向へ貫通させる挿通孔と、該挿通孔から前記外壁部に沿った方向であって前記長手方向とは異なる方向にある位置において針状部材から吐出された接着剤が前記挿通孔へ入るようにされた当て部と、を有し、前記外壁部から外方へ出た外方延出部と、
前記外壁部に沿って前記当て部に対向する空間と、前記ワイヤーと、の間で前記外壁部から外方へ出たガイド部と、を備えた、態様を有する。
【０００９】
さらに、本発明は、固定部から延びた複数本のワイヤーにより対物レンズのレンズホルダが支持された光ピックアップを備えた光ディスク装置であって、
前記レンズホルダは、
前記ワイヤーに沿った外壁部と、
前記ワイヤーを該ワイヤーの長手方向へ貫通させる挿通孔と、該挿通孔から前記外壁部に沿った方向であって前記長手方向とは異なる方向にある位置において針状部材から吐出された接着剤が前記挿通孔へ入るようにされた当て部と、を有し、前記外壁部から外方へ出た外方延出部と、
前記外壁部に沿って前記当て部に対向する空間と、前記ワイヤーと、の間で前記外壁部から外方へ出たガイド部と、を備えた、態様を有する。
【発明の効果】
【００１０】
請求項１に係る発明によれば、ワイヤーの挿通孔に接着剤を注入する作業性を向上させることが可能なレンズホルダを提供することができる。
請求項２〜７に係る発明では、ワイヤーの挿通孔に接着剤を注入する作業性をさらに向上させることが可能となる。
請求項８に係る発明によれば、ワイヤーの挿通孔に接着剤を注入する作業性を向上させることが可能な光ピックアップを提供することができる。
請求項９に係る発明によれば、ワイヤーの挿通孔に接着剤を注入する作業性を向上させることが可能な光ディスク装置を提供することができる。
【図面の簡単な説明】
【００１１】
【図１】光ピックアップ９０の要部を模式的に例示する斜視図。
【図２】光ディスク装置１００の構成例を模式的に例示する図。
【図３】レンズホルダ１の第一の例を模式的に示す斜視図。
【図４】図３のＡ１切断線の位置におけるレンズホルダ１の要部を例示する断面図。
【図５】図３のＡ２切断線の位置におけるレンズホルダ１の要部を例示する断面図。
【図６】挿通孔２０に接着剤２１０を注入する様子を模式的に例示する斜視図。
【図７】レンズホルダ１の第二の例を模式的に示す斜視図。
【図８】レンズホルダ１の第三の例を模式的に示す斜視図。
【図９】レンズホルダ１の第四の例を模式的に示す斜視図。
【図１０】レンズホルダ１の第五の例を模式的に示す斜視図。
【図１１】レンズホルダ１の第六の例を模式的に示す斜視図。
【発明を実施するための形態】
【００１２】
以下、本発明の実施形態を説明する。むろん、以下に説明する実施形態は、本発明を例示するものに過ぎない。
【００１３】
（１）レンズホルダ、光ピックアップ、及び、光ディスク装置の概要：
まず、図１〜１１を適宜参照して、レンズホルダ、光ピックアップ、及び、光ディスク装置の概要を説明する。
【００１４】
［態様１］（図１〜１１参照）
レンズホルダ１は、対物レンズ６５が取り付けられ、固定部８０から延びた複数本のワイヤー７０により支持される。レンズホルダ１は、基本要素として、前記ワイヤー７０に沿った外壁部５、外方延出部１０、及び、ガイド部４０を備える。外方延出部１０は、前記ワイヤー７０を該ワイヤー７０の長手方向Ｄ１へ貫通させる挿通孔２０と、該挿通孔２０から前記外壁部５に沿った方向であって前記長手方向Ｄ１とは異なる方向（例えばワイヤーの並列方向Ｄ２）にある位置において針状部材（例えばニードル２００）から吐出された接着剤２１０が前記挿通孔２０へ入るようにされた当て部３０と、を有し、前記外壁部５から外方Ｄ４へ出ている。ガイド部４０は、前記外壁部５に沿って前記当て部３０に対向する空間ＳＰ１と、前記ワイヤー７０と、の間で前記外壁部５から外方Ｄ４へ出ている。
【００１５】
挿通孔２０に接着剤２１０を入れるために挿通孔２０から外壁部５に沿った方向であってワイヤー７０の長手方向Ｄ１とは異なる方向（Ｄ２）にある当て部３０に針状部材（２００）を当てる際、針状部材（２００）は、ワイヤー７０との間にあるガイド部４０によりワイヤー７０に当たることが抑制される。従って、本技術は、ワイヤーの挿通孔に接着剤を注入する作業性を向上させることが可能なレンズホルダを提供することができる。
尚、ワイヤーの長手方向とは異なる方向は、ワイヤーの長手方向と直交する方向のみならず、該直交する方向から例えば１〜４５°の範囲内でずれた方向でもよい。
【００１６】
［態様２］（図１〜１１参照）
また、本技術は、対物レンズ６５が取り付けられ、固定部８０から延びた複数本のワイヤー７０により支持されるレンズホルダ１であって、
前記複数本のワイヤー７０に含まれる第一及び第二のワイヤー７１，７２に沿った外壁部５と、
前記第一のワイヤー７１を該第一のワイヤー７１の長手方向Ｄ１へ貫通させる第一の挿通孔２１と、前記第二のワイヤー７２を該第二のワイヤー７２の長手方向Ｄ１へ貫通させる第二の挿通孔２２と、前記第一の挿通孔２１と前記第二の挿通孔２２との間で針状部材（２００）から吐出された接着剤２１０が前記第一の挿通孔２１及び前記第二の挿通孔２２へ入るようにされた当て部３０と、を有し、前記外壁部５から外方Ｄ４へ出た外方延出部１０と、
前記外壁部５に沿って前記当て部３０と対向する空間ＳＰ１と、前記第一のワイヤー７１と、の間で前記外壁部５から外方Ｄ４へ出た第一のガイド部４１と、
前記外壁部５に沿って前記当て部３０と対向する空間ＳＰ１と、前記第二のワイヤー７２と、の間で前記外壁部５から外方Ｄ４へ出た第二のガイド部４２と、を備えた、態様を有する。
【００１７】
第一及び第二の挿通孔２１，２２に接着剤２１０を入れるために第一の挿通孔２１と第二の挿通孔２２との間にある当て部３０に針状部材（２００）を当てる際、針状部材（２００）は、第一のワイヤー７１との間にある第一のガイド部４１により第一のワイヤー７１に当たることが抑制され、第二のワイヤー７２との間にある第二のガイド部４２により第二のワイヤー７２に当たることが抑制される。そのうえで、針状部材（２００）から吐出された接着剤２１０が第一の挿通孔２１と第二の挿通孔２２とに入る。従って、本態様は、挿通孔に接着剤を注入する作業性をさらに向上させることが可能となる。
【００１８】
［態様３］（図３〜６参照）
本レンズホルダ１は、前記当て部３０に対向する側において前記外方延出部１０から離隔し前記外壁部５から外方Ｄ４へ出た第二外方延出部５０を備えてもよい。前記ガイド部４０は、前記第二外方延出部５０から外方Ｄ４へ突出してもよいが、前記第二外方延出部５０から前記外方延出部１０の方へ突出してもよい。この場合、当て部３０に当てた針状部材（２００）は、ワイヤー７０との間にあって第二外方延出部５０から外方延出部１０の方へ突出したガイド部４０によりワイヤー７０に当たることがさらに抑制される。従って、本態様は、挿通孔に接着剤を注入する作業性をさらに向上させることが可能となる。
【００１９】
［態様４］（図７参照）
前記第二外方延出部５０には、前記当て部３０に対向する部分が前記外壁部５の方へ凹んだ凹部５２が形成されてもよい。この態様は、第二外方延出部５０の凹部５２に針状部材（２００）を入れて当て部３０に当てることができるので、挿通孔に接着剤を注入する作業性をさらに向上させることが可能となる。
【００２０】
［態様５］（図３〜１０参照）
前記当て部３０は、前記外方延出部１０において前記当て部３０に対向する空間ＳＰ１の方へ出た凸形状３１に形成されてもよい。この態様は、当て部３０から挿通孔２０の方へ接着剤２１０が流れ易くなるので、挿通孔に接着剤を注入する作業性をさらに向上させることが可能となる。
【００２１】
［態様６］（図３〜６参照）
前記当て部３０は、前記凸形状３１において最も出た当て面３２と、該当て面３２から前記挿通孔２０の方へ向かう傾斜面３３と、を有してもよい。この態様は、当て面３２に針状部材（２００）を当てて接着剤２１０を吐出させると傾斜面３３に沿って接着剤２１０が挿通孔２０へ入るので、挿通孔に接着剤を注入する作業性をさらに向上させることが可能となる。
【００２２】
［態様７］（図９参照）
前記凸形状３１は、前記外壁部５に対向する方向Ｄ５から見たときに前記外方延出部１０において前記当て部３０に対向する空間ＳＰ１の方へ出た略半楕円形状に形成されてもよい。この態様は、略半楕円形状の略頂部に針状部材（２００）を当てて接着剤２１０を吐出させると略半楕円形状に沿って接着剤２１０が挿通孔２０へ入るので、挿通孔に接着剤を注入する作業性をさらに向上させることが可能となる。
尚、略半楕円形状には、略半円形状が含まれる。
【００２３】
［態様８］（図１〜１１参照）
上記態様１〜７のいずれかのレンズホルダに対応した光ピックアップの態様も、上述した効果を奏する。
【００２４】
［態様９］（図１〜１１参照）
上記態様１〜７のいずれかのレンズホルダに対応した光ディスク装置の態様も、上述した効果を奏する。
【００２５】
（２）レンズホルダ、光ピックアップ、及び、光ディスク装置の構成例の説明：
まず、後述する各種の例に共通の光ディスク装置の構成例を説明する。
図１は、光ピックアップ９０の要部を模式的に例示している。図２は、光ディスク装置１００の構成例を模式的に例示している。光ディスク装置１００は、固定部８０から延びた複数本の支持ワイヤー７０により、対物レンズ６５が取り付けられた樹脂製レンズホルダ１が支持された光ピックアップ９０を備えている。レンズホルダ１は、対物レンズ６５を装着するためのレンズ装着部９を有し、可動部６０に設けられ、固定部８０に対してトラッキング方向（例えば対向方向Ｄ３）及びフォーカス方向（例えばワイヤーの並列方向Ｄ２）へ相対的に駆動される。このため、可動部６０に電磁コイル６１が設けられ、固定部８０に磁石８１が設けられている。磁石８１は、ヨークベースによって支持されている。尚、可動部６０に磁石が設けられ、固定部８０に磁石が設けられてもよい。
【００２６】
上記固定部８０は、スレッドモータ９２によって光ディスクの径方向へ直線的に駆動される。光ディスクがスピンドルモータ９３によって回転駆動される時に固定部８０が前記径方向へ移動すると、光ディスクの面上が走査される。制御部９１は、モータ９２，９３の駆動、コイル６１への通電、光ピックアップ９０からの信号に基づいた光ディスクからの情報の再生、光ディスクへの情報の記録、等を制御する。尚、光ディスクには、ＢＤ（ブルーレイディスク）、ＤＶＤ（Digital Versatile Disc）、ＣＤ（Compact Disc）、等が含まれる。図１，２に示した光ピックアップ９０は例えばＤＶＤ専用の対物レンズ６５しか備えていないが、ＢＤとＤＶＤの両方に対応可能な光ピックアップ９０の場合にはＢＤ用の対物レンズとＤＶＤ用の対物レンズが設けられる。光ディスク装置には、表示装置といった別の装置と一体化された装置が含まれる。
【００２７】
固定部８０からは、左右（対向方向Ｄ３の両端）に３本ずつのサスペンションワイヤー７０が延びている。これらのワイヤー７０は、可動部６０を固定部８０に対して浮いた状態で支持する。これにより、可動部６０は、固定部８０に対してトラッキング方向及びフォーカス方向へ微小量移動可能である。
【００２８】
（３）レンズホルダ、光ピックアップ、及び、光ディスク装置の第一の例：
図３は、レンズホルダ１の第一の例を模式的に示している。図４は、図３のＡ１切断線の位置におけるレンズホルダ１の要部を例示している。図５は、図３のＡ２切断線の位置におけるレンズホルダ１の要部を例示している。図６は、挿通孔２０に液状接着剤２１０を注入する様子を模式的に例示している。
【００２９】
レンズホルダ１は、レンズ装着部９に対物レンズ６５が取り付けられ、固定部８０から延びた複数本のワイヤー７０により支持される。ワイヤー７０に沿った外壁部５からは、長手方向をワイヤー並列方向Ｄ２へ向けた外方延出部１０及び第二外方延出部５０が外方Ｄ４へ出ている。ここで、対向方向Ｄ３の一方側にある３本のワイヤー７０をワイヤー７０Ａ，７０Ｂ，７０Ｃと呼び、対向方向Ｄ３の他方側にある３本のワイヤー７０をワイヤー７０Ｄ，７０Ｅ，７０Ｆと呼ぶことにする。図３において、ワイヤー７０Ａ，７０Ｂ，７０Ｃに沿った外壁部５は、正面に見える外壁部であり、互いに離隔した外方延出部１０及び第二外方延出部５０が手前側へ延出している。また、ワイヤー７０Ｄ，７０Ｅ，７０Ｆに沿った外壁部５は、背面に隠れた外壁部であり、互いに離隔した外方延出部１０及び第二外方延出部５０が背面側へ延出している。
【００３０】
各外方延出部１０は、ワイヤー７０を通す挿通孔２０、及び、液状接着剤２１０吐出用のニードル（針状部材）２００の先端を突き当てるための当て部３０を有している。挿通孔２０は、ワイヤー７０の長手方向Ｄ１へ貫通した孔であり、この長手方向Ｄ１へワイヤー７０を貫通させる。ここで、ワイヤー７０Ａが挿通孔２０Ａを通り抜け、ワイヤー７０Ｂが挿通孔２０Ｂを通り抜け、ワイヤー７０Ｃが挿通孔２０Ｃを通り抜けているものとする。当て部３０は、隣り合う挿通孔２０の間において、第二外方延出部５０に対向する方向へ出た凸形状３１に形成されている。図３〜６に示す当て部３０は、凸形状３１において最も出た当て面３２、及び、該当て面３２から前記挿通孔２０の方へ向かう一対の傾斜面３３を有し、ニードル２００の当て座として機能する。当て面３２は、ワイヤー長手方向Ｄ１に略直交し、対向空間ＳＰ１に挿入されたニードル２００の先端が突き当たるようにされている。各傾斜面３３は、当て面３２から離れるにつれて挿通孔２０側へ下がる傾斜を有し、ニードル２００から当て面３２に吐出された接着剤２１０が流下して隣り合う挿通孔２０へ入るようにされている。従って、外方延出部１０において対向空間ＳＰ１に面する対向面１１に形成された当て部３０は、挿通孔２０から外壁部５に沿った方向であって長手方向Ｄ１とは異なる並列方向Ｄ２にある位置においてニードル２００から吐出された接着剤２１０が挿通孔２０へ入るようにされている。尚、第二外方延出部５０に対向する側において外方延出部１０には、外壁部５に繋がる補強用の傾斜部１８が設けられている。
【００３１】
各第二外方延出部５０は、ワイヤー７０を通す挿通孔５１を有し、当て部３０に対向する側において外方延出部１０から離隔している。第二外方延出部５０からは、複数のガイド部４０が外方延出部１０の方へ突出している。各ガイド部４０は、外壁部５に沿って当て部３０に対向する空間ＳＰ１と、ワイヤー７０と、の間にあり、ワイヤー７０を防護する防護壁として機能する。ガイド部４０は、外壁部５に繋がっているので、外壁部５から外方Ｄ４へ出ている。
【００３２】
ここで、複数本のワイヤー７０には、第一及び第二のワイヤー７１，７２が含まれるものとする。第一及び第二のワイヤー７１，７２は、複数本のワイヤー７０の中で相対的に決まるものであり、例えば、ワイヤー７０Ａを第一のワイヤー７１に当てはめワイヤー７０Ｂを第二のワイヤー７２に当てはめてもよいし、図３に示すようにワイヤー７０Ｂを第一のワイヤー７１に当てはめワイヤー７０Ｃを第二のワイヤー７２に当てはめてもよい。挿通孔２０には、第一のワイヤー７１を該第一のワイヤー７１の長手方向Ｄ１へ貫通させる第一の挿通孔２１と、第二のワイヤー７２を該第二のワイヤー７２の長手方向Ｄ１へ貫通させる第二の挿通孔２２と、が含まれるものとする。むろん、第一及び第二の挿通孔２１，２２も、複数の挿通孔２０の中で相対的に決まるものであり、例えば、挿通孔２０Ａを第一の挿通孔２１に当てはめ挿通孔２０Ｂを第二の挿通孔２２に当てはめてもよいし、図３に示すように挿通孔２０Ｂを第一の挿通孔２１に当てはめ挿通孔２０Ｃを第二の挿通孔２２に当てはめてもよい。外方延出部１０の当て部３０は、第一の挿通孔２１と第二の挿通孔２２との間に設けられていることになる。
【００３３】
複数のガイド部４０には、第一のワイヤー７１側にある第一のガイド部４１、及び、第二のワイヤー７２側にある第二のガイド部４２が含まれる。第一のガイド部４１と第二のガイド部４２との間の空間ＳＰ１は、上述したように外壁部５に沿って当て部３０に対向する空間であり、ニードル２００の先端よりも広くされ、ニードル２００の先端が挿入される。第一のガイド部４１は、前記対向空間ＳＰ１と第一のワイヤー７１との間で外壁部５から外方Ｄ４へ出ており、対向空間ＳＰ１に挿入されたニードル２００が第一のワイヤー７１に接触しない位置関係となるように形成されている。第二のガイド部４２は、前記対向空間ＳＰ１と第二のワイヤー７２との間で外壁部５から外方Ｄ４へ出ており、対向空間ＳＰ１に挿入されたニードル２００が第二のワイヤー７２に接触しない位置関係となるように形成されている。さらに、ガイド部４１，４２は、対向空間ＳＰ１に挿入されたニードル２００の先端が傾斜面３３に当たらず当て面３２に突き当たる位置関係となるように形成されている。
【００３４】
上述したレンズホルダ１は、例えば、樹脂材料を射出成形等により成形することにより形成することができる。
【００３５】
尚、ワイヤー長手方向Ｄ１、ワイヤー並列方向Ｄ２、及び、対向方向Ｄ３は、互いに直交するものとするが、互いに異なる方向であれば本技術に含まれる。直交には、厳密な直交のみならず、製造時等に生じる誤差等が含まれてもよい。また、これらの方向Ｄ１，Ｄ２，Ｄ３とは異なる方向は、これらの方向Ｄ１，Ｄ２，Ｄ３と直交する方向から例えば１〜４５°の範囲内でずれた方向でもよい。
【００３６】
上述した当て部３０及びガイド部４０が無いと、ワイヤーを挿入した挿通孔に向けて接着塗布ニードルを接近させ接着塗布を行う際、作業者はニードルとワイヤーが接触しないように注意を払いながらニードル先端を挿通孔に接近させる必要がある。ニードルがワイヤーに接触するとワイヤーが曲がるといった不具合が発生するためである。しかし、挿通孔が微小であるため、ニードルがワイヤーに接触しないよう注意しながら行う接着塗布作業は作業性が良くなく（時間がかかり）、また、挿通孔の数だけ接着塗布作業が必要となる。本技術は、上述した当て部３０があることにより、接着剤の吐出回数が少なくて済む。また、上述したガイド部４０があることにより、接着塗布作業の作業性が向上し、安定且つ効率的な接着塗布作業が実現される。以下、図６を参照して、接着塗布作業を説明する。
【００３７】
第一及び第二の挿通孔２１，２２に接着剤２１０を入れる際、作業者は、まず、挿通孔２１，２２の間にある当て面３２に対向する空間ＳＰ１にニードル２００の先端を挿入して当て面３２に突き当てるとよい。このとき、ニードル２００の先端がガイド部４１，４２に案内されるので、ニードル２００の先端をワイヤー７１，７２に接触させないで手早く当て面３２に当てることができる。次に、作業者は、当て面３２に当てたニードル２００の先端から液状接着剤２１０を吐出させる。すると、接着剤２１０は、当て面３２から挿通孔２１，２２の方へ分かれて傾斜面３３，３３を流下し、挿通孔２１，２２に入る。これにより、接着剤の１回の吐出作業で２箇所の挿通孔２１，２２に接着剤を注入することができる。
【００３８】
以上説明したように、本具体例は、第一のガイド部４１によりニードル２００が第一のワイヤー７１に当たることが抑制され、第二のガイド部４２によりニードル２００が第二のワイヤー７２に当たることが抑制される。そのうえで、ニードル２００の先端から吐出された接着剤２１０が両挿通孔２１，２２に入る。従って、ワイヤーの挿通孔に接着剤を注入する作業性が向上し、安定した接着塗布作業が実現される。
【００３９】
（４）レンズホルダ、光ピックアップ、及び、光ディスク装置の第二の例：
図７は、レンズホルダ１の第二の例を模式的に示している。第二の例の第二外方延出部５０には、当て部３０に対向する部分が外壁部５の方へ凹んだ凹部５２が形成されている。尚、第一の例と同様の箇所には同じ符号を付して詳しい説明を省略する。第三〜第六の例も、同様である。
【００４０】
図７に示す第二外方延出部５０の凹部５２は、外壁部５に沿って当て面３２に対向する空間ＳＰ１を外方延出部１０とは反対側へ延長した形状に形成されている。このため、第二外方延出部の凹部５２は、外壁部５に沿って当て部３０に対向し、ニードル２００の先端よりも広くされている。挿通孔２１，２２に接着剤２１０を入れる際、作業者は、凹部５２として第二外方延出部５０に延長された対向空間ＳＰ１にニードル２００の先端を挿入して当て面３２に突き当てることができる。
本具体例は、第二外方延出部の凹部５２にニードル２００を入れて当て部３０に当てることができるので、挿通孔に接着剤を注入する作業性がさらに向上する。
【００４１】
（５）レンズホルダ、光ピックアップ、及び、光ディスク装置の第三の例：
図８は、レンズホルダ１の第三の例を模式的に示している。第三の例のレンズホルダ１は、当て部３０に対向する側において外方延出部１０から離隔し外壁部５から外方Ｄ４へ出た第二外方延出部１５０をガイド部４０の一部として備えている。さらに、ガイド部４０には、第二外方延出部１５０の延出端１５０ａから外方Ｄ４へ突出した第一及び第二の外方突出部１４１，１４２が含まれている。第一の外方突出部１４１は、ワイヤー並列方向Ｄ２において、外壁部５に沿って当て部３０に対向する空間ＳＰ１と、第一のワイヤー７１と、の間で第二外方延出部１５０から外方Ｄ４へ出ている。第二の外方突出部１４２は、ワイヤー並列方向Ｄ２において、外壁部５に沿って当て部３０に対向する空間ＳＰ１と、第二のワイヤー７２と、の間で第二外方延出部１５０から外方Ｄ４へ出ている。第一の外方突出部１４１と第二の外方突出部１４２の間は、ニードル２００の先端よりも広くされている。挿通孔２１，２２に接着剤２１０を入れる際、作業者は、外方突出部１４１，１４２間にニードル２００の先端を挿入して当て面３２に突き当てることができる。
【００４２】
本具体例は、外方突出部１４１，１４２間にニードル２００を入れて当て部３０に当てることができるので、挿通孔に接着剤を注入する作業性がさらに向上する。
【００４３】
（６）レンズホルダ、光ピックアップ、及び、光ディスク装置の第四の例：
図９は、レンズホルダ１の第四の例を模式的に示している。第四の例の当て部３０は、外方延出部１０において対向空間ＳＰ１の方へ略半円状に出た凸形状３１Ａに形成されている。すなわち、凸形状３１Ａは、外壁部５に対向する方向Ｄ５から見たときに外方延出部１０において当て部３０に対向する空間ＳＰ１の方へ出た略半円形状に形成されている。凸形状３１Ａにおいて、略頂部（最も出た頂部及びその近傍）がニードル２００の当て面３２Ａであり、この当て面３２Ａから挿通孔２１，２２の方へ向かう一対の傾斜部３３Ａに沿って接着剤２１０が流下する。
【００４４】
略半円形状の凸形状３１Ａの当て面３２Ａにニードル２００を当てて接着剤２１０を吐出させると、接着剤２１０は、当て面３２Ａから挿通孔２１，２２の方へ分かれて傾斜部３３Ａ，３３Ａを流下し、挿通孔２１，２２に入る。これにより、接着剤の１回の吐出作業で２箇所の挿通孔２１，２２に接着剤を注入することができる。従って、本具体例も、挿通孔に接着剤を注入する作業性が向上し、安定した接着塗布作業が実現される。
尚、当て面の凸形状は、略半円形状を除く略半楕円形状でもよい。
【００４５】
（７）レンズホルダ、光ピックアップ、及び、光ディスク装置の第五の例：
図１０は、レンズホルダ１の第五の例を模式的に示している。第五の例の当て部３０は、外方延出部１０において対向空間ＳＰ１の方へ略二等辺三角形状に出た凸形状３１Ｂに形成されている。すなわち、凸形状３１Ｂは、外壁部５に対向する方向Ｄ５から見たときに外方延出部１０において当て部３０に対向する空間ＳＰ１の方へ出た略二等辺三角形状に形成されている。凸形状３１Ｂにおいて、最も出た頂部３２Ｂがニードル２００の接触部であり、この頂部３２Ｂから挿通孔２１，２２の方へ向かう一対の傾斜面３３に沿って接着剤２１０が流下する。
【００４６】
略二等辺三角形状の凸形状３１Ｂの頂部３２Ｂにニードル２００を当てて接着剤２１０を吐出させると、接着剤２１０は、頂部３２Ｂから挿通孔２１，２２の方へ分かれて傾斜面３３，３３を流下し、挿通孔２１，２２に入る。これにより、接着剤の１回の吐出作業で２箇所の挿通孔２１，２２に接着剤を注入することができる。従って、本具体例も、挿通孔に接着剤を注入する作業性が向上し、安定した接着塗布作業が実現される。
尚、当て面の凸形状は、略二等辺三角形状を除く略三角形状でもよい。
【００４７】
（８）レンズホルダ、光ピックアップ、及び、光ディスク装置の第六の例：
図１１は、レンズホルダ１の第六の例を模式的に示している。第六の例の当て部３０は、外方延出部１０において対向空間ＳＰ１の方へ出ていない。この場合、外方延出部１０のうち対向空間ＳＰ１に面する対向面１１のうち挿通孔２１，２２の間に当て部３０が設けられ、この当て部３０に吐出された接着剤２１０が対向面１１に沿って挿通孔２１，２２の方へ流れる。
【００４８】
挿通孔２１，２２の間にある当て部３０にニードル２００を当てる際、ニードル２００は、第一のワイヤー７１との間にある第一のガイド部４１により第一のワイヤー７１に当たることが抑制され、第二のワイヤー７２との間にある第二のガイド部４２により第二のワイヤー７２に当たることが抑制される。そのうえで、ニードル２００から吐出された接着剤２１０が挿通孔２１，２２に入る。従って、本具体例も、挿通孔に接着剤を注入する作業性が向上し、安定した接着塗布作業が実現される。
【００４９】
（９）その他変形例：
上述した例において、第一のガイド部４１と第二のガイド部４２の一方が無くても、当て部３０に当てたニードル２００は、ワイヤー７０との間にあるガイド部４０によりワイヤー７０に当たることが抑制され、挿通孔に接着剤を注入する作業性が向上する効果が得られる。
【００５０】
（１０）結び：
以上説明したように、本発明によると、種々の態様により、ワイヤーの挿通孔に接着剤を注入する作業性を向上させることが可能な技術等を提供することができる。むろん、独立請求項に係る構成要件のみからなる技術等でも、上述した基本的な作用、効果が得られる。
【００５１】
また、本発明は、前記実施例に限られない。例えば、
・前記実施例の中で開示した相互に置換可能な部材及び構成等を置換して適用すること
・前記実施例の中で開示されていないが、公知技術であって前記実施例の中で開示した部材及び構成等と相互に置換可能な部材及び構成等に置換すること
・前記実施例の中で開示されていないが、公知技術等に基づいて当業者が前記実施例の中で開示した部材及び構成等の代用として想定し得る部材及び構成等に置換すること
は、いずれも実施可能である。これらの置換した態様も、本発明に含まれる。
【符号の説明】
【００５２】
１…レンズホルダ、５…外壁部、
１０…外方延出部、１１…対向面、
２０，２０Ａ〜２０Ｃ…挿通孔、２１…第一の挿通孔、２２…第二の挿通孔、
３０…当て部、３１，３１Ａ，３１Ｂ…凸形状、
３２，３２Ａ…当て面、３２Ｂ…頂部、３３…傾斜面、３３Ａ…傾斜部、
４０…ガイド部、４１…第一のガイド部、４２…第二のガイド部、
５０，１５０…第二外方延出部、５２…凹部、
６０…可動部、６５…対物レンズ、
７０，７０Ａ〜７０Ｆ…ワイヤー、７１…第一のワイヤー、７２…第二のワイヤー、
８０…固定部、
９０…光ピックアップ、１００…光ディスク装置、
１４１，１４２…外方突出部、
２００…ニードル（針状部材）、２１０…接着剤、
Ｄ１…長手方向、Ｄ２…並列方向、Ｄ３…対向方向、Ｄ４…外方、
Ｄ５…外壁部に対向する方向、ＳＰ１…空間。
【図１】
2016015187.tif 000003
【図２】
2016015187.tif 000004
【図３】
2016015187.tif 000005
【図４】
2016015187.tif 000006
【図５】
2016015187.tif 000007
【図６】
2016015187.tif 000008
【図７】
2016015187.tif 000009
【図８】
2016015187.tif 000010
【図９】
2016015187.tif 000011
【図１０】
2016015187.tif 000012
【図１１】
2016015187.tif 000013